(57)【要約】【課題】絵画、写真等の掲示物を、より容易かつ迅速に装着することが可能なパネルを提供すること。【解決手段】複数本の長尺状の枠材を多角形状に枠組みすることにより形成されるフレーム２と、フレーム２の内周に支持された裏板７と、フレーム２の正面側に配置された透明体８を具備して、フレーム２の正面側にマグネット又は磁性体４を複数個配設し、透明体８におけるフレーム２に配設したマグネット又は磁性体４に対向する箇所にフレーム２に配設したマグネット又は磁性体４に吸着可能なマグネット又は磁性体９を配設し、透明体８を磁力によって前記フレーム２に吸着することで、裏板７と透明体８で絵画、写真等の掲示物を挟持可能にし、絵画、写真等の掲示物の額装を容易にするとともに、絵画、写真等の入れ替えを繰り返した場合でも透明体を確実に支持することを可能とした。【選択図】図２
0003179947.tif 000002
【実用新案登録請求の範囲】
【請求項１】
複数本の長尺状の枠材を多角形状に枠組みすることにより形成されるフレーム（２）と、
該フレーム（２）の内周に支持された裏板（７）と、
前記フレーム（２）の正面側に配置された透明体（８）と、を具備して、
前記フレーム（２）の正面側にマグネット又は磁性体（４）を複数個配設し、
前記透明体（８）における前記フレーム（２）に配設したマグネット又は磁性体（４）に対向する箇所に、前記フレーム（２）に配設したマグネット又は磁性体（４）に吸着可能なマグネット又は磁性体（９）を配設し、
前記透明体（８）を磁力によって前記フレーム（２）に吸着することで、前記裏板（７）と透明体（８）で絵画、写真等の掲示物を挟持可能にしたことを特徴とするパネル。
【請求項２】
前記裏板（７）が発泡スチロールであることを特徴とする請求項１に記載のパネル。
【請求項３】
前記透明体（８）は、周縁部にマスク印刷を施すことで、配設したマグネット又は磁性体（４、９）を見えないように隠したことを特徴とする請求項１又は請求項２に記載のパネル。
【考案の詳細な説明】
【技術分野】
【０００１】
本考案は、絵画、写真等を装着可能としたパネルに係り、より詳しくは、マグネットの磁力を用いることにより容易に絵画、写真等を装着可能にしたパネルに関する。
【背景技術】
【０００２】
従来から、絵画、写真等を飾る場合には額縁が用いられている。即ち、この額縁は、長尺状のフレーム材を四角形状に枠組みすることにより構成された枠体と、この四角形状に枠組みされた枠体内に支持された透明体と、この透明体の裏面に重ね合わされる配置で枠体内に支持される裏板を備えており、透明体と裏板の間に絵画、写真等を挟み込むことにより額縁に絵画、写真等を額装し、その後この額縁を壁等に掛けることにより、絵画、写真等を所望する箇所に飾ることを可能としている。
【０００３】
ここで、従来から一般的に用いられている額縁について図面を参照して説明すると、図５は一般的な額縁の縦断側面構造を示す図であり、また、図６は一般的な額縁の背面図であり、図において３１が一般的な額縁である。
【０００４】
そして、この従来から用いられている額縁３１では、長尺状のフレーム材を四角形状に枠組みした枠体３２を備えている。
【０００５】
また、この枠体３２は、裏面における内周側全域に載置棚部３３が形成されているとともに、この載置棚部３３に周縁部が載置される配置において、前記枠体３２の内周側には、透明体３４が係止されている。
【０００６】
更に、この透明体３４の裏面には、透明体３４とほぼ同一の形状寸法を有する裏板３５が重ね合わされており、この裏板３５は、その裏面において、前記枠体３２の裏面に回動自在に備えた、「トンボ」と呼ばれる係止部材３７によって前記枠体３２の内周側に支持されており、これにより、前記枠体３２内には透明体３４及び裏板３５が、重ね合わされた状態で係止されている。
【０００７】
そして、使用に際しては、透明体３４及び裏板３５によって絵画、写真等を挟み込んだ状態において、透明体３４、および裏板３５を前記枠体３２内に係止することで絵画、写真等を額装し、この状態で額縁３１を壁等に引っ掛け、これにより絵画、写真等を所望する箇所に装着して飾ることを可能としている。
【０００８】
しかしながら、前述した一般的な額縁３１に写真等を額装する場合には、絵画、写真等を挟持した透明体３４及び裏板３５を枠体３２に係止し、その後に、係止部材３７を回動して裏板３５を枠体に固定しなければならないために、写真等の額装作業が繁雑にならざるを得なかった。
【０００９】
また、トンボ等の係止部材３７を用いて裏板３５を枠体に固定する方法においては、絵画、写真等の入れ替えを繰り返した場合には係止部材３７にガタが生じてきてしまい、係止部材として確実に裏板３５を固定することが困難になってしまう場合も考えられる。
【００１０】
そのために本考案は過去において、マグネットの磁力を用いることにより、絵画、写真等の額装作業を容易にすることが可能であるとともに、絵画等の入れ替えを繰り返した場合でも挟持している絵画等の脱落を防止することも可能としたフレームを提案した。
【００１１】
即ち、このフレームでは、表面側フレームとこの表面側フレームの裏面に重ね合わされる支持側フレームを有して、表面側フレームと支持側フレームで２枚の透明体を挟持する構成として、表面側フレームと支持側フレームを互いに、磁力により吸着可能にしたことを特徴としている。
【００１２】
また他の形態では、フレーム本体の内周に２枚の透明体を支持する構成にし
フレーム本体を複数のフレーム片に分割するとともに、磁力によってフレーム片を互いに吸着可能としたことを特徴としている。
【００１３】
従って、これらのフレームによれば、絵画、写真等の額装に際して、係止部材を回動して裏板を固定する必要がないために、絵画、写真等の額装作業が容易であるとともに、係止部材を用いずに磁力により透明体を支持しているために、絵画、写真等の入れ替えを繰り返した場合でも透明体を確実に支持することが可能である。
【先行技術文献】
【特許文献】
【００１４】
【特許文献１】実用新案登録第３１１５２８５号公報
【特許文献２】実用新案登録第３１１５２８６号公報
【考案の概要】
【考案が解決しようとする課題】
【００１５】
しかしながら、前述のマグネットを用いたフレームにおいても、表面側フレームと支持側フレーム間に透明体を挟持し、あるいはフレーム本体の内周に透明体を支持する構成であるために、透明体を挟持しつつ表面側フレームと支持側フレームを互いに吸着させ、あるいは、フレーム片を互いに吸着させながらフレーム本体の内周に２枚の透明体を支持させていく必要があるために、更に容易かつ迅速に、絵画、写真等を装着して飾ることが可能な製品が望まれていた。
【００１６】
そこで、本考案は、絵画、写真等の掲示物を、より容易かつ迅速に装着することが可能なパネルを提供することを課題としている。
【課題を解決するための手段】
【００１７】
本考案のパネルは、
複数本の長尺状の枠材を多角形状に枠組みすることにより形成されるフレームと、
該フレームの内周に支持された裏板と、
前記フレームの正面側に配置された透明体と、を具備して、
前記フレームの正面側にマグネット又は磁性体を複数個配設し、
前記透明体における前記フレームに配設したマグネット又は磁性体に対向する箇所に、前記フレームに配設したマグネット又は磁性体に吸着可能なマグネット又は磁性体を配設し、
前記透明体を磁力によって前記フレームに吸着することで、前記裏板と透明体で絵画、写真等の掲示物を挟持可能にしたことを特徴としている。
【考案の効果】
【００１８】
本考案のパネルでは、内周側に裏板を支持したフレームの正面側に透明体を配置して、フレームの正面側にマグネット又は磁性体を複数個配設し、透明体において前記フレームに配設したマグネット又は磁性体に対向する箇所には、フレームに配設したマグネット又は磁性体に吸着可能なマグネット又は磁性体を配設しており、これにより、透明体を磁力によってフレームに吸着することで、裏板と透明体で絵画、写真等の掲示物を挟持可能にしている。
【００１９】
そのために、本考案のパネルでは、裏板上に絵画、写真等の掲示物を配置した状態で透明体をフレームの正面側に重ね合わせるのみで、磁力によって透明体をフレームに装着して絵画、写真等の掲示物を支持することができる。
【００２０】
従って、本考案のパネルによれば、絵画、写真等の掲示物を、より容易かつ迅速に装着することが可能であり、更に、本考案のパネルは磁力によって透明体をフレームに支持しており、とんぼ等の係止部材を用いていないために、絵画、写真等の入れ替えを繰り返した場合でも、透明体を確実に支持することが可能である。
【図面の簡単な説明】
【００２１】
【図１】本考案のパネルの実施例の正面図である。
【図２】図１におけるＡ−Ａ線断面構造を拡大して示した図である。
【図３】本考案のパネルの実施例において透明体を外した状態の正面図である。
【図４】本考案のパネルの実施例における透明体の裏面図である。
【図５】一般的な額縁を説明するための図である。
【図６】一般的な額縁を説明するための図である。
【考案を実施するための形態】
【００２２】
本考案のパネルでは、複数本の長尺状の枠材を多角形状に枠組みすることにより形成されるフレームを有しており、このフレームの内周側には裏板が支持され、更に、フレームの正面側には、透明体が配置されている。
【００２３】
また、フレームの正面側には、周縁部分の複数個所に、マグネット又は磁性体が複数個配設されており、一方、透明体において、フレームに配設したマグネット又は磁性体に対向する箇所には、フレームに配設したマグネット又は磁性体に吸着可能なマグネット又は磁性体が配設されている。
【００２４】
そしてこれにより、透明体を磁力によってフレームに吸着することで、裏板と透明体で絵画、写真等の掲示物を挟持することを可能にしている。
【００２５】
ここで、前記裏板を発泡スチロールにより形成するとよく、これにより、フレームの内周において裏板を安定させることが可能である。
【００２６】
また、透明体において、少なくともマグネット又は磁性体を配設した箇所にマスク印刷を施すとよく、これにより、透明体に配設したマグネット又は磁性体を見えないように隠すことが可能である。
【実施例１】
【００２７】
本考案の額の実施例について図面を参照して説明すると、図１は、本実施例のパネルの正面図であり、図において１が本実施例のパネルである。
【００２８】
そして、本実施例の額縁１は、図に示すように、全体として縦長の長方形状としている。即ち、本実施例のパネル１は、縦長の長方形状のフレーム２を備えており、このフレーム２は、図３に示すように、アルミ製の４本の長尺状のフレーム材２ａ、２ｂ、２ｃ、２ｄを四角形状に枠組みすることによって形成されている。
【００２９】
ここで、前記フレーム２について説明すると、図２は図１におけるＡ−Ａ線断面構造を拡大して示した図であり、また、図３は前記フレーム２の正面図であり、本実施例において前記フレーム２は、周縁部分全域に、正面側に開口とした凹部３が形成されており、この凹部３内には、複数個のマグネットが配設されている。
【００３０】
即ち、図において４がマグネットであり、本実施例において前記マグネット４は、円柱状のボタン型マグネットを用いており、前記凹部３内に配置した台座５上に２個ずつ取り付けられているとともに、本実施例においては、長手側のフレーム材２ａ、２ｂのそれぞれに３か所、短い側のフレーム材２ｃ、２ｄのそれぞれに２か所、前記台座５が配置されている。
【００３１】
次に、図２において６は挿入溝である。即ち、本実施例において前記フレーム２は、前記凹部３の内周側全域に、フレーム２の内周側に開口とした断面コ字状、あるいは反コ字状の挿入溝６を形成しており、この挿入溝６内に周縁部が挿入される形態で、前記フレーム２の内周には裏板が係止されている。
【００３２】
ここで、前記裏板について説明すると、図２において７が裏板であり、本実施例において前記裏板７は、発泡スチロール製としており、前記挿入溝６内に周縁部が挿入可能な形状寸法としており、これにより、前記フレーム２の内周側に係止されている。但し、裏板７は必ずしも発泡スチロールにより形成する必要は無く、ある程度の剛性を有していればよく、従って発泡スチロールの他、木製、厚紙製、あるいは金属製でもよい。
【００３３】
次に、図２において８は透明体、及び１０は絵画、写真等の掲示物である。即ち、本実施例のパネルでは、前記フレーム２の正面側に透明体８を配置しており、前記裏板７の正面側に絵画、写真等の掲示物１０を配置することで、裏板７と透明体８で絵画、写真等の掲示物１０を挟持することとしている。
【００３４】
ここで、図４は前記透明体８の裏面を示す図であり、本実施例において前記透明体８は、透明なアクリル製としており、前記フレーム２の外形寸法とほぼ同じ外形寸法としている。また、前記透明体８の裏面、即ち、前記フレーム２に対向する面には、前記フレームに配設したマグネット４に吸着可能なマグネット９を配設している。
【００３５】
即ち、本実施例においては、透明体８を前記フレーム２の正面側に重ね合わせたときに、前記フレーム２に配設したマグネット４に対向する箇所に、フレーム２に配設したマグネット４に吸着可能な配置でマグネット９を配設し、これにより、透明体８をフレーム２の正面側に配置すると、磁力によって、透明体８をフレーム２に吸着可能としている。なお、図４からも明らかなように、本実施例において前記マグネット９はシート状のマグネットとしているが、必ずしもシート状のマグネットを用いる必要はなく、前記フレーム２に配設したマグネットと同様にボタン型マグネットを用いても良い。
【００３６】
次に、図４において斜線で示した１１の部分は、マスク部分である。即ち、本実施例において前記透明体８は、正面側あるいは裏面側の周縁部に、不透明な色によるマスク印刷を施しており、具体的には、前記凹部３の部分が隠れる程度の幅のマスク印刷を施しており、これにより、少なくともマグネット９が見えないようにしている。但し、このマスク１１は必ずしも必要なものではなく、マスク印刷を施さなくても良い。
【００３７】
このように構成される本実施例のパネルの作用について説明すると、本実施例のパネルに絵画、写真等の掲示物を額装する場合には、前記フレーム２の内周側において、前記裏板７の正面側に絵画、写真等１０を配置し、この状態で、透明体８をフレーム２の正面側に配置する。
【００３８】
そうすると、透明体８はマグネット４、９の磁力によってフレーム２側に吸着されて、それにより、裏板７と透明体８とで前記絵画、写真等を挟持することができる。
【００３９】
このように、本実施例のパネルでは、フレームと透明体の双方にマグネットを配設してマグネットの磁力によって透明体をフレームに係止することとしているために、裏板上に絵画、写真等の掲示物を配置した状態で透明体をフレームの正面側に重ね合わせるのみで、絵画、写真等の掲示物を額装することができ、従って、絵画、写真等の掲示物を、より容易かつ迅速に装着することが可能であるとともに、絵画、写真等の入れ替えを繰り返した場合でも透明体を確実に支持することが可能である。
【００４０】
また、本実施例のパネルでは、フレーム２に複数個のマグネット４を配設するとともに、透明体８の裏面には、透明体８を前記フレーム２の正面側に重ね合わせたときにフレーム２に配設したマグネット４に対向する箇所にフレーム２に配設したマグネット４に吸着可能な配置でマグネット９を配設しているために、透明体８をフレーム２の正面側に配置するのみで、フレーム２のマグネット４と透明体８のマグネット９が互いに吸着し合うので、透明体８の位置決めが容易である。
【００４１】
なお、前述の実施例では、フレームと透明体の双方にマグネットを配設した形態を説明したが、必ずしもフレームと透明体の双方にマグネットを配設する必要は無く、フレームと透明体のいずれかにマグネットを配設して、他方には、フレームと透明体のいずれかに配設したマグネット吸着可能な磁性体を配設してもよい。また、マグネットの配設箇所は特に限定されず、透明体８をフレーム２に係止可能な箇所であればいずれの箇所でもよい。
【産業上の利用可能性】
【００４２】
本考案のパネルは、裏板とともに絵画、写真等を挟持する透明体をマグネットの磁力によってフレームに係止することとして絵画、写真等を容易に額装可能としているために、裏板と透明体で絵画、写真等を挟持するパネルの全般に適用可能である。
【符号の説明】
【００４３】
１    パネル
２    フレーム
３    凹部
４    マグネット（フレーム側）
５    マグネットの台座
６    挿入溝
７    裏板
８    透明体
９    マグネット（透明体側）
１０    掲示物（絵画、写真等）
１１    マスク部分
【図１】
0003179947.tif 000003
【図２】
0003179947.tif 000004
【図３】
0003179947.tif 000005
【図４】
0003179947.tif 000006
【図５】
0003179947.tif 000007
【図６】
0003179947.tif 000008